(57)【要約】【課題】引き違いサッシ窓等において、防犯要素を総合的に備えることにより、空き巣による不正侵入を未然に阻止するロック装置の提供を図る。【解決手段】内障子の召合せ框に配置されたメインロック錠及びサブロック錠と、該内障子の召合せ框に内設されたスライドプレートと、外障子の召合せ框に設けられた錠受けとからなる引き違いサッシ窓等のロック装置であって、メインロック錠は、操作用摘みを備える回転シリンダー構造であって、シリンダーの先端に施錠フックが形成されるとともにその先端に近い所定位置に切欠きカムが形成されており、サブロック錠は、操作用摘みを備える回転シリンダー構造であって、シリンダーの先端部に施錠フックが形成されるとともにその先端に近い所定位置に係止溝が設けられており、スライドプレートは、上部にサブロック錠に形成されている施錠フックを遊挿する係止孔が設けられている構造の二重ロック装置となっている。【選択図】図１
2007113204.tif 000002
【特許請求の範囲】
【請求項１】
内障子の召合せ框に配置されたメインロック錠及びサブロック錠と、該内障子の召合せ框に内設されたスライドプレートと、外障子の召合せ框に設けられた錠受けとからなる引き違いサッシ窓等のロック装置であって、メインロック錠は、操作用摘みを備える回転シリンダー構造であって、シリンダーの先端に施錠フックが形成されるとともにその先端に近い所定位置に切欠きカムが形成されており、サブロック錠は、操作用摘みを備える回転シリンダー構造であって、シリンダーの先端部に施錠フックが形成されるとともにその先端に近い所定位置に係止溝が設けられており、スライドプレートは、上部にサブロック錠に形成されている施錠フックを遊挿する係止孔が設けられていることを特徴とする二重ロック装置。
【請求項２】
前記メインロック錠における操作用摘みに、ダイヤル解錠機構を設けたことを特徴とする請求項１に記載の二重ロック装置機構。
【請求項３】
前記サブロック錠における操作用摘みに、ダイヤル解錠機構を設けたことを特徴とする請求項２に記載の二重ロック装置。
【請求項４】
前記サブロック錠における操作用摘みに、ダミーのダイヤル解錠機構を設けたことを特徴とする請求項２に記載の二重ロック装置。
【発明の詳細な説明】
【技術分野】
【０００１】
本発明は、引き違いサッシ窓等におけるロック装置に関するものである。
【背景技術】
【０００２】
警視庁の空き巣狙いの防犯調書によれば、犯行の侵入方法においてガラス破りの手口が約７割を占め、また犯人が侵入をあきらめるケースとして、１０分以内で侵入できなければその内の９割が侵入をあきらめるとの統計調査が発表されており、その防犯対策が施されている二重ロック装置や鍵付クレセント錠などの提供が望まれていた。
【０００３】
かかる問題を解決する手段として、例えば、サッシ窓の框内に埋設して外部から目視困難としたサッシ窓の施錠装置（特開２０００３−３７１６号）が提案されているが、不正侵入者が窓ガラスを破り、反射ミラーと特殊変形工具を使用することによって、前述の調査データによる不正解除に要する時間内で容易に犯行が行われてしまう構造である。
【０００４】
また、クレセント錠と自動ロック装置の組み合わせによる引き戸のロック装置（特開平１０−１８４１３２号）が提案されているが、不正侵入者において外部から自動ロック装置の位置が確認されてしまい、２箇所のガラスを破る行為を必要とするものの、自動ロック装置そのものをサッシ窓の隙間からドライバーのようなもので破壊し、容易に犯行が行われてしまう構造である。
【０００５】
また、クレセント錠と摘みロック錠の組合せによる二重ロック機構のクレセント錠（特開２００３−１７６６５５号）が提案されているが、２箇所のガラスを破り、ドライバー等で簡単にサッシ窓の框の間から摘みロック錠を不正に解除されてしまう構造である。
【特許文献１】特開２０００３−３７１６号公報
【特許文献２】特開平１０−１８４１３２号公報
【特許文献３】特開２００３−１７６６５５号公報
【発明の開示】
【発明が解決しようとする課題】
【０００６】
上記の問題点に鑑み、本発明は、ロック装置自体がサッシ窓の框外に露出して取り付けられている以上、二重ロック錠の一方の施錠を何らかの方法で破壊または不正解除できるものであり、その犯行防止策として不正解除に費やされる時間が多いこと、サッシ窓框内に埋設され外部から不正操作しにくいこと、解除手段が外部から目視困難なこと、メインロック錠とサブロック錠の区別が外部から判断しにくいこと、解錠順序が限定されて連動していることなどの防犯要素を総合的に備えることにより、空き巣による不正侵入を未然に阻止するロック装置を提供することを目的とするものである。
【課題を解決するための手段】
【０００７】
前記目的を達成するため、本発明は、内障子の召合せ框に配置されたメインロック錠及びサブロック錠と、該内障子の召合せ框に内設されたスライドプレートと、外障子の召合せ框に設けられた錠受けとからなる引き違いサッシ窓等のロック装置であって、メインロック錠は、操作用摘みを備える回転シリンダー構造であって、シリンダーの先端に施錠フックが形成されるとともにその先端に近い所定位置に切欠きカムが形成されており、サブロック錠は、操作用摘みを備える回転シリンダー構造であって、シリンダーの先端部に施錠フックが形成されるとともにその先端に近い所定位置に係止溝が設けられており、スライドプレートは、上部にサブロック錠に形成されている施錠フックを遊挿する係止孔が設けられている構造の二重ロック装置となっている。
【０００８】
また、本発明は、前記メインロック錠における操作用摘みに、ダイヤル解錠機構を設けた構造とすることができる。
【０００９】
さらに、本発明は、前記サブロック錠における操作用摘みに、ダイヤル解錠機構を設けた構造とすることができる。
【００１０】
そしてまた、本発明は、前記サブロック錠における操作用摘みに、ダミーのダイヤル解錠機構を設けた構造とすることができる。
【発明の効果】
【００１１】
本発明にかかる二重ロック装置によれば、不正解除に費やされる時間が多いこととする構造に関しては、引き違いサッシ窓等の内障子の召合せ框にメインロック錠及びサブロック錠を二重に取り付け、また、これらメインロック錠とサブロック錠とを離して設置することにより、犯人はロック錠付近の２箇所のガラスを破らなければならず、さらに、両手による不正操作を強いることでガラスを破る必要性を持たせることによって、犯行時間を多く費やさせる効果を狙うものである。
【００１２】
また、本発明にかかる二重ロック装置機構によれば、サッシ窓の召合せ框内に埋設され外部から不正操作しにくい構造となっており、詳しくは、メインロック錠及びサブロック錠を内障子の召合せ框内に設けることによって、サッシ窓框の隙間からドライバーなどによって不正に破壊されることを防止することができる。
【００１３】
さらに、クレセント錠のようにサッシ窓の召合せ框の側面に露出して取り付けられていると、外部から容易にガラス窓を破って不正解除操作が行われる可能性があるが、本発明にかかる二重ロック装置のように、解錠の方向が室内方向に向いていれば、犯人の不正解除操作を困難とすることができる。
【００１４】
そしてまた、従来の二重ロック装置は、装置自体が框の外部に露出していたため、熟練した不正解除者は外部から目視にて不正解除し易い方のロック装置から作業を行うことが可能であったが、本発明にかかる二重ロック装置によれば、メインロック錠とサブロック錠の外観形状を同形状とすることで、その区別が外部から判断しにくくなっているため、不正解除者が外部から一見して不正解除しずらい仕様に見せ掛けるものである。さらに、サブロック錠にダミーのダイヤル解錠機構を設けることで、該サブロック錠をメインロック錠と極似させて、不正解除に手間を取らせるように仕向けることが可能である。
【００１５】
また、本発明にかかる二重ロック装置によれば、解錠順序が限定されて連動している構造を採っており、すなわち、最初にメインロック錠の操作を行うことによって初めてサブロック錠がスライドプレートを介して施錠できる構造となっているため、不正解錠者が逆の手順で不正解錠を行った場合に、サブブロック錠の回動シリンダーの動きが阻止されて、不正解除を非常に困難とすることができる。
【発明を実施するための最良の形態】
【００１６】
本発明は、外部から不正操作しにくく、解除手段が外部から目視困難であって、メインロック錠２とサブロック錠の区別が外部から判断できず、しかも解錠順序が限定されている構造を採用したことを最大の特徴とする。以下、本発明にかかる二重ロック装置１の実施形態を図面に基づいて説明する。
【００１７】
図１は、本発明にかかる二重ロック装置１の主要部品構成を示す分解斜視図である。該二重ロック装置１は、内障子２２の召合せ框に配置されたメインロック錠２及びサブロック錠と、該内障子２２の召合せ框に内設されたスライドプレートと、外障子２３の召合せ框に設けられた錠受けとから構成されている。
【００１８】
メインロック錠２は、操作用摘み３を備える回転シリンダー構造であって、中間位置に切欠きカムが形成されるとともに先端部に施錠フック６が形成されている。また、サブロック錠１１は、操作用摘み１２を備える回転シリンダー構造であって、中間位置に係止溝が設けられるとともに先端部に施錠フック１５が形成されている。そしてスライドプレート１８は、上部にサブロック錠に形成されている施錠フック１５を遊挿する係止孔１９が設けられた構造となっている。
【００１９】
尚、図面で示すように、メインロック錠２における操作用摘み３に、ダイヤル解錠機構を設けた態様も考え得る。すなわち、ダイヤル７のダイヤル合わせマーク９の位置を合致させることで、初めて操作用摘み３の回動を可能とするものである。かかる態様を採用することにより、不正解除される際に非常に困難で手間を取らせるように仕向けることが可能となる。
【００２０】
また同様に、サブロック錠１１における操作用摘み１２に、ダイヤル解錠機構を設けた態様も可能である。かかる態様を採用すると、取り付け費用と施錠の手間は増大するが、その防犯効果は倍増する。また、サブロック錠１１における操作用摘み１２に、ダミーのダイヤル解錠機構を設けた態様も可能である。すなわち、サブロック錠１１をメインロック錠２と極似させることにより、いずれがメインロック錠２あるいはサブロック錠１１であるのかの判断を困難にし、より不正解除に手間を取らせるように仕向けることが可能となる。
【００２１】
上記の通り構成されるメインロック錠２及びサブロック錠１１の取付け態様について、図２及び図３に示す。メインロック錠２及びサブロック錠１１を取付ける位置については、特に限定するものではないが、図２に示すように、内障子２２の召合せ框において、メインロック錠２とサブロック錠１１とを離して取付けることにより、不正解錠者は、不正解錠する際に二箇所以上のサッシ窓のガラスを破壊しなければならず、防犯性の向上に資する。ただし、本発明にかかる二重ロック装置１は、それ自体が解錠困難な構造であるため、仮にメインロック錠２とサブロック錠１１との取付け位置が近い場合であっても、何ら問題はない。図３は、内障子２２の召合せ框に取り付けた状態におけるメインロック錠２及びサブロック錠の外観を示している。
【００２２】
図４は、ダイヤル解錠機構を設けたメインロック錠２の分解斜視図である。すなわち、ダイヤル７のダイヤル合わせマーク９の位置を合致させることで、初めて操作用摘み３の回動を可能とするための構造を示している。尚、図面では、かかるダイヤル７を二個設けた構造について示しているが、ダイヤル７の個数について限定するものではない。ただし、ダイヤル７を複数設ければ、それだけ解錠の困難性が上がることは言うまでもない。また、かかるダイヤル７についてプッシュ保持した状態で、操作用摘み３の回動操作を可能とするような構造も考え得る。かかる構造とすれば、不正解錠者にとって一方の手でダイヤル７をプッシュしつつ、もう一方の手でメインロック錠２を不正解除しなければならないため、防犯性がより向上する効果が期待できる。
【００２３】
図５は、メインロック錠２の解錠状態を上方から見た断面図である。操作用摘み３及びシリンダー４の一部が室内側に出ており、コイルバネの付勢力によってシリンダー４の先端に形成された施錠フック６は、内障子２２における召合せ框の内部に格納されて解錠された状態である。
【００２４】
図６は、メインロック錠２の施錠状態を上方から見た断面図である。操作用摘み３を押すことによってシリンダー４のダイヤル合せ溝８とダイヤル合せマーク９が合わさって回転することにより、施錠フック６が外障子２３の召合せ框に設けられた錠受け２１へ格納されて施錠された状態である。
【００２５】
図７は、スライドプレート１８の内設状態、並びに、メインロック錠２とサブロック錠１１とがスライドプレート１８で連動している状態を示す側断面図である。該スライドプレート１８は、図面に示すように、内障子２２における召合せ框の内部に、スライド機構保持具２０によって内設され、メインロック錠２のシリンダー４の回転に従動して、召合せ框内を上下にスライド自在となっている。
【００２６】
図７（ａ）は、サブロック錠１１の施錠状態を示すもので、召合せ框の下部に取付けられたメインロック錠２におけるシリンダー４の先端近くに形成された切欠きカム１０にスライドプレート１８が当接しており、かかるスライドプレート１８が自重によって下降し、召合せ框の上部に取付けられたサブロック錠１１におけるシリンダー１４の先端近くに設けられた係止溝１７にスライドプレート１８の係止孔１９が陥没して、上側のサブロック錠１１が解錠しようとする動きを阻止している状態を示している。
【００２７】
図７（ｂ）は、サブロック錠１１の解錠を可能とする状態を示すもので、召合せ框の下部に取付けられたメインロック錠２におけるシリンダー４の切欠きカム１０にスライドプレート１８が当接しており、シリンダー４の回転によってかかるスライドプレート１８が上方へ押し上げられ、スライドプレート１８の係止孔１９が係止溝１７から開放され、サブロック錠１１が解錠可能としている構造を採っている。
【００２８】
尚、メインロック錠２を上側にサブロック錠１１を下側に配置する場合、スライドプレート１８の自重でメインロック錠２の切欠きカム１０の外形軌跡に沿って下がらないこととなるため、その場合には、付勢バネ等をメインロック錠２の切欠きカム１０に従動する方向に取り付けることによってその目的を果たすことができる。かかる態様も可能であることから、熟練の不正解錠者に対して解除作業方法の選択肢をより多く持たせると共に、ユーザーにとってもメインロック錠２とサブロック錠１１の取り付け箇所を自由に選択することができるものである。
【００２９】
上記構造からなる本発明にかかる二重ロック装置１について、以下、実際に施錠並びに解錠する手順・方法について、図面に基づいて説明する。
【００３０】
図８は、本発明にかかる二重ロック装置１が完全に解錠されている場合のメインロック錠２及びサブロック錠１１の状態を示す説明図である。メインロック錠２及びサブロック錠１１はともに開放の状態で、夫々サッシ窓の外障子２３における召合せ框に設けられた錠受け２１からシリンダー４・１４の先端に形成されている施錠フック６・１５が離れ、サッシ窓の開閉を可能としている状態を示している。
【００３１】
図９は、本発明にかかる二重ロック装置１のメインロック錠２を施錠する場合を示す説明図である。メインロック錠２のダイヤル７におけるダイヤル合わせマーク９を合致させ、操作用摘み３を押し込んだ状態で右に９０度回転させると、メインロック錠２の先端近くに形成された切欠きカム１０の外形軌跡に従動するスライドプレート１８が上昇することによって、サブロック錠１１の係止溝１７にはまっているスライドプレート１８の係止孔１９が開放されることとなる。
【００３２】
図１０は、本発明にかかる二重ロック装置１のサブロック錠１１を施錠する場合を示す説明図である。サブロック錠１１の操作用摘み１２を押し込んだ状態で右に９０度回転させると、サブロック錠１１の係止溝１７にはまっているスライドプレート１８の係止孔１９が開放され、サブロック錠１１が施錠することが可能となる。
【００３３】
図１１は、本発明にかかる二重ロック装置１を外部から不正解錠する場合を示す説明図である。内障子２２における召合せ框において、メインロック錠２を下側に取付け、サブロック錠１１を上側に取付けた状態を例にとって説明すると、不正解錠者は、サッシ窓の離れた位置にあるメインロック錠２及びサブロック錠１１の外側のガラスを破って手が入る程の隙間を作り、外観上同じロック錠の二つのダイヤル７・１６とダイヤル合わせマーク９を反射ミラーなどを使って合わせ、さらに図に示すように、メインロック錠２のシリンダー４に形成された切欠きカム１０に当接したスライドプレート１８が自重によって下降することによって、スライドプレート１８の係止孔１９は上側に配置されたサブロック錠１１のシリンダー１４の先端近くに設けられた係止溝１７に陥没し、上側のサブロック錠１１が単独で解除しようとして戻ろうとする動きを阻止することとなる。すなわち、不正解錠者は、どちらかメインロック錠２なのかを繰り返し操作して探し当てなければならない構造となっている。
【００３４】
上記サブロック錠１１については、ダイヤル合わせマーク９を有しない態様とすることも考えられるが、メインロック錠２とサブロック錠１１の外観が異なると、熟練された不正解錠者にその解除手順が外部から目視した時点で判断されてしまう欠点がある。したがって、サブロック錠１１についてもダイヤル合わせマーク９を備えることが望ましい。
【００３５】
このように、本発明にかかる二重ロック装置１の解錠に際しては、正しい手順でメインロック錠２及びサブロック錠１１を操作する必要があり、その手順を一つでも間違えると、該二重ロック装置１の解錠は不可能となって、防犯上大変に有効である。尚、正しい手順による解錠方法は、まずメインロック錠２のダイヤル７を合わせ、メインロック錠２を回動可能状態とする。次いで、該メインロック錠２を９０度回転させ、メインロック錠２の解錠が完了する。その状態でサブロック錠１１を９０度回転させることで、サブロック錠１１の解錠も完了し、サッシ窓等が開閉可能となる。
【図面の簡単な説明】
【００３６】
【図１】本発明にかかる二重ロック装置を示す分解斜視図である。
【図２】本発明にかかる二重ロック装置の取付け状態を示す斜視図である。
【図３】本発明にかかる二重ロック装置の取付け状態を示す拡大斜視図である。
【図４】本発明にかかるメインロック錠を示す分解斜視図である。
【図５】本発明にかかるメインロック錠を示す上方断面図である。
【図６】本発明にかかるメインロック錠を示す上方断面図である。
【図７】本発明にかかる二重ロック装置を示す側断面図である。
【図８】本発明にかかる二重ロック装置の実施態様を示す説明図である。
【図９】本発明にかかる二重ロック装置の実施態様を示す説明図である。
【図１０】本発明にかかる二重ロック装置の実施態様を示す説明図である。
【図１１】本発明にかかる二重ロック装置の実施態様を示す説明図である。
【符号の説明】
【００３７】
１    二重ロック装置
２    メインロック錠
３    操作用摘み
４    シリンダー
６    施錠フック
７    ダイヤル
８    ダイヤル合せ溝
９    ダイヤル合せマーク
１０    切欠きカム
１１    サブロック錠
１２    操作用摘み
１４    シリンダー
１５    施錠フック
１６    ダイヤル
１７    係止溝
１８    スライドプレート
１９    係止孔
２０    スライド機構保持具
２１    錠受け
２２    内障子
２３    外障子
【図１】
2007113204.tif 000003
【図２】
2007113204.tif 000004
【図３】
2007113204.tif 000005
【図４】
2007113204.tif 000006
【図５】
2007113204.tif 000007
【図６】
2007113204.tif 000008
【図７】
2007113204.tif 000009
【図８】
2007113204.tif 000010
【図９】
2007113204.tif 000011
【図１０】
2007113204.tif 000012
【図１１】
2007113204.tif 000013